(57)【要約】【課題】本発明は、印刷回路基板及びその製造方法に関する。【解決手段】本発明は、ガラス板を有し、上記ガラス板の上面及び下面に配置された樹脂層を含むコア部と、上記コア部の上部及び下部の少なくとも一つに配置された配線層と、を含み、上記コア部は、コア部の側面から所定の間隔を置いて上記ガラス板の上面から下面に貫通する溝部を含む印刷回路基板に関する。【選択図】図１ａ
2016092402.tif 000002
【特許請求の範囲】
【請求項１】
ガラス板を有し、前記ガラス板の上面及び下面に配置された樹脂層を含むコア部と、
前記コア部の上部及び下部の少なくとも一方に配置された配線層と、を含み、
前記ガラス板の側面と内部を分離するように前記ガラス板を貫通する溝部が形成される、印刷回路基板。
【請求項２】
前記溝部は樹脂で充填される、請求項１に記載の印刷回路基板。
【請求項３】
前記ガラス板は前記コア部の側面に露出する、請求項１または２に記載の印刷回路基板。
【請求項４】
前記溝部は前記コア部の側面に沿って形成される、請求項１から３のいずれか１項に記載の印刷回路基板。
【請求項５】
前記樹脂層はファブリック（ｆａｂｒｉｃ）補強材を含む、請求項１から４のいずれか１項に記載の印刷回路基板。
【請求項６】
前記溝部を充填する樹脂は前記樹脂層を形成する樹脂と一体を成す、請求項２に記載の印刷回路基板。
【請求項７】
前記ガラス板上に配置された内部回路層をさらに含む、請求項１から６のいずれか１項に記載の印刷回路基板。
【請求項８】
前記ガラス板と前記内部回路層の間に配置された密着層をさらに含む、請求項７に記載の印刷回路基板。
【請求項９】
前記ガラス板を貫通するビアと、
前記ガラス板と前記ビアの間に配置された保護層と、をさらに含む、請求項１から８のいずれか１項に記載の印刷回路基板。
【請求項１０】
コア部の上部及び下部に配線層及び絶縁層が形成された印刷回路基板において、
前記コア部は、前記コア部の側面に露出するガラス板と、
前記ガラス板の上面及び下面に配置された樹脂層と、
前記ガラス板の露出面から所定の間隔を置いて前記ガラス板の上面から下面に貫通する溝部と、を含み、
前記溝部は、前記コア部の側面に沿って連続的に形成され、樹脂で充填される、印刷回路基板。
【請求項１１】
前記溝部は前記コア部の４側面に沿って配置される、請求項１０に記載の印刷回路基板。
【請求項１２】
ガラス板の上面及び下面の一面に樹脂層を形成する段階と、
前記ガラス板の切断領域から所定の間隔を置いて前記ガラス板の上面から下面に貫通する溝部孔を形成する段階と、
前記ガラス板の他面に樹脂層を形成してコア部を形成する段階と、
前記コア部の上部及び下部の少なくとも一方に配線層を形成する段階と、
前記切断領域に沿って切断して単位印刷回路基板を形成する段階と、を含む、印刷回路基板の製造方法。
【請求項１３】
前記溝部孔を樹脂で充填する段階をさらに含む、請求項１２に記載の印刷回路基板の製造方法。
【請求項１４】
前記溝部孔を樹脂で充填する段階は、前記他面に樹脂層を積層して前記樹脂層の樹脂を前記溝部孔に充填する、請求項１３に記載の印刷回路基板の製造方法。
【請求項１５】
前記樹脂層はファブリック（ｆａｂｒｉｃ）補強材を含む、請求項１２から１４のいずれか１項に記載の印刷回路基板の製造方法。
【請求項１６】
前記切断領域に沿って切断する段階は、前記ガラス板の部分を切断して前記ガラス板を前記コア部の側面に露出させる、請求項１２から１５のいずれか１項に記載の印刷回路基板の製造方法。
【請求項１７】
前記溝部孔を形成する段階は、前記切断領域に沿って前記溝部孔を形成する、請求項１２から１６のいずれか１項に記載の印刷回路基板の製造方法。
【発明の詳細な説明】
【技術分野】
【０００１】
本発明は、印刷回路基板及びその製造方法に関する。
【背景技術】
【０００２】
印刷回路基板が次第に薄板化されることにより、印刷回路基板の製造時に発生する反り及びねじれなどの変形が大きくなる。これを防止するために、印刷回路基板のコア部にガラス板を埋めたガラスコア構造が提案されている。
【先行技術文献】
【特許文献】
【０００３】
【特許文献１】韓国公開特許第２０１２−００９５４２６号公報
【発明の概要】
【発明が解決しようとする課題】
【０００４】
本発明は、ガラス板を切断して生じたクラック（ｃｒａｃｋ）がガラス板の内部にまで広がることを防止することができる印刷回路基板に関する。
【課題を解決するための手段】
【０００５】
本発明の一実施形態は、ガラス板を有し、上記ガラス板の上面及び下面に配置された樹脂層を含むコア部と、上記コア部の上部及び下部の少なくとも一つに配置された配線層と、を含み、上記ガラス板の側面と内部を分離するように上記ガラス板を貫通する溝部が形成される印刷回路基板を提供する。
【発明の効果】
【０００６】
本発明の一実施形態によると、ガラス板を切断して生じたクラック（ｃｒａｃｋ）がガラス板の内部にまで広がることを防止することができる。
【図面の簡単な説明】
【０００７】
【図１ａ】本発明の一実施形態による印刷回路基板の構造を示す断面図である。
【図１ｂ】本発明の一実施形態による印刷回路基板の構造を示す断面図である。
【図２】本発明の他の実施形態による印刷回路基板の構造を示す断面図である。
【図３】本発明の他の実施形態による印刷回路基板の構造を示す断面図である。
【図４】本発明の他の実施形態による印刷回路基板の構造を示す断面図である。
【図５ａ】本発明の一実施形態による印刷回路基板のコア部の製造工程を示す図面である。
【図５ｂ】本発明の一実施形態による印刷回路基板のコア部の製造工程を示す図面である。
【図５ｃ】本発明の一実施形態による印刷回路基板のコア部の製造工程を示す図面である。
【図５ｄ】本発明の一実施形態による印刷回路基板のコア部の製造工程を示す図面である。
【図６ａ】本発明の一実施形態による印刷回路基板の製造工程を順に示す図面である。
【図６ｂ】本発明の一実施形態による印刷回路基板の製造工程を順に示す図面である。
【図６ｃ】本発明の一実施形態による印刷回路基板の製造工程を順に示す図面である。
【図６ｄ】本発明の一実施形態による印刷回路基板の製造工程を順に示す図面である。
【図６ｅ】本発明の一実施形態による印刷回路基板の製造工程を順に示す図面である。
【図６ｆ】本発明の一実施形態による印刷回路基板の製造工程を順に示す図面である。
【発明を実施するための形態】
【０００８】
以下では、添付の図面を参照して本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどはより明確な説明のために誇張されることがある。
【０００９】
また、本発明を明確に説明すべく、図面において説明と関係ない部分は省略し、多様の層及び領域を明確に表現するために厚さを拡大して示しており、同一思想の範囲内において機能が同一である構成要素に対しては同一の参照符号を用いて説明する。
【００１０】
なお、明細書全体において、ある構成要素を「含む」というのは、特に反対される記載がない限り、他の構成要素を除外するのではなく、他の構成要素をさらに含むことができることを意味する。
【００１１】
＜印刷回路基板＞
図１ａは本発明の一実施形態による印刷回路基板の構造を示す側断面図であり、図１ｂは図１ａのＡ−Ａ'に沿った断面図である。
【００１２】
図１ａ及び図１ｂを参照すると、本発明の一実施形態による印刷回路基板１０００は、ガラス板１０を有し、上記ガラス板１０の上面及び下面に配置された樹脂層１１、１２を含むコア部１００を含み、上記コア部１００は、コア部１００の側面から所定の間隔を置いて上記ガラス板１０の上面から下面に貫通する溝部１５を含む。上記溝部１５は、上記ガラス板１０の側面と内部を分離するように連続的に形成される。
【００１３】
上記ガラス板１０はコア部１００の側面に露出する。本発明の一実施形態による印刷回路基板１０００は、上記ガラス板１０の露出面、即ち、上記コア部１００の側面から所定の間隔を置いて上記溝部１５が形成される。
【００１４】
上記ガラス板１０は非結晶質固体であるガラス（ｇｌａｓｓ）を含む。
【００１５】
本発明の一実施形態で用いられることができるガラス材料は、例えば、純粋二酸化ケイ素（約１００％のＳｉＯ２）、ソーダ石灰ガラス、ホウケイ酸塩ガラス、アルミノケイ酸塩ガラス（ａｌｕｍｉｎｏ−ｓｉｌｉｃａｔｅ  ｇｌａｓｓ）などを含む。但し、上記ケイ素系ガラス組成に限定されず、代案的なガラス材料、例えば、フルオロガラス、リン酸ガラス、カルコゲンガラスなども用いられることができる。
【００１６】
また、特定の物理的特性を有するガラスを形成するために、その他の添加剤をさらに含むことができる。このような添加剤は、炭酸カルシウム（例えば、石灰）及び炭酸ナトリウム（例えば、ソーダ）だけでなく、マグネシウム、カルシウム、マンガン、アルミニウム、鉛、硼素、鉄、クロム、カリウム、硫黄、及びアンチモンと、このような元素及び他の元素の炭酸塩及び／または酸化物を含むことができる。
【００１７】
このとき、ガラス（ｇｌａｓｓ）を含むガラス板は、単位印刷回路基板に切断する製造過程中に切断領域にクラック（ｃｒａｃｋ）が発生する可能性があり、切断領域に発生したクラック（ｃｒａｃｋ）がガラス板の内部にまで広がることがある。
【００１８】
よって、本発明の一実施形態は、上記ガラス板１０の露出面、即ち、上記コア部１００の側面から所定の間隔を置いて上記溝部１５を形成することにより、ガラス板を切断して生じたクラック（ｃｒａｃｋ）がガラス板の内部にまで広がることを防止することができるようにした。
【００１９】
上記溝部１５は樹脂で充填される。
【００２０】
上記樹脂は、エポキシ樹脂のような熱硬化性樹脂、ポリイミドのような熱可塑性樹脂などであってよい。
【００２１】
上記溝部１５を充填する樹脂は、上記樹脂層１１、１２を形成する樹脂と一体を成すことができる。
【００２２】
上記ガラス板１０の上面及び下面に樹脂層１１、１２を形成するとともに、上記樹脂層１１、１２を形成する樹脂によって上記溝部１５内に樹脂が充填されるため、上記溝部１５を充填する樹脂は、上記樹脂層１１、１２を形成する樹脂と一体を成すことができる。
【００２３】
上記樹脂層１１、１２は、エポキシ樹脂のような熱硬化性樹脂、ポリイミドのような熱可塑性樹脂を含むことができる。また、上記樹脂に、ファブリック（ｆａｂｒｉｃ）補強材、例えば、ガラス繊維（ｇｌａｓｓ  ｆａｂｒｉｃ）が含浸されて含まれ、例えば、プリプレグで形成されることができる。
【００２４】
上記溝部１５は、上記コア部１００の側面から所定の間隔を置いて上記コア部１００の側面に沿って形成されることができる。
【００２５】
上記溝部１５を、上記コア部１００の側面から所定の間隔を置いて上記コア部１００の側面に沿って形成することにより、ガラス板を切断する過程においてガラス板の露出面、即ち、コア部１００の側面に生じたクラック（ｃｒａｃｋ）がガラス板の内部にまで広がることを防止することができる。
【００２６】
一方、ガラス板を切断する過程においてガラス板にクラック（ｃｒａｃｋ）が発生しないようにガラス板の側面をすべて樹脂で覆ってガラス板が外部に露出しないようにする他の実施形態の場合、工程散布を勘案して溝部をより広い幅で形成しなければならないことから、ガラス板を覆う薄い樹脂層で溝部をすべて充填することが困難であるため空隙（ｖｏｉｄ）が発生した。
【００２７】
しかし、本発明の一実施形態は、狭い幅の溝部１５を形成しても、ガラス板の露出面に生じたクラック（ｃｒａｃｋ）がガラス板の内部にまで広がることを防止することができるため、ガラス板を覆う薄い樹脂層だけで溝部を樹脂で充填することができ、溝部の樹脂充填性が改善される。また、狭い幅の溝部１５を形成するため、ガラス板の除去面積が小さくてガラス板の加工時間が減少し、製造費用を節減することができ、製造工程においてパネル（ｐａｎｅｌ）の安定性に優れることができる。
【００２８】
上記溝部１５は上記コア部１００の４側面に沿って配置されることができる。
【００２９】
単位印刷回路基板に切断する製造過程中にガラス板の切断領域にクラック（ｃｒａｃｋ）が発生する可能性があるため、切断領域である上記コア部１００の４側面に沿って溝部１５を形成することにより、クラック（ｃｒａｃｋ）が内部にまで広がることを効果的に防止することができる。
【００３０】
上記コア部１００の上部及び下部には、配線層２１０、２２０及び絶縁層１１０が配置される。
【００３１】
上記絶縁層１１０は、エポキシ樹脂のような熱硬化性樹脂、ポリイミドのような熱可塑性樹脂、またはこれらにガラス繊維または無機フィラーのような補強材が含浸された樹脂、例えば、プリプレグで形成されることができる。
【００３２】
上記配線層２１０、２２０は、導電性金属として用いられるものでれば制限なく適用可能であり、例えば、銅（Ｃｕ）を用いることができる。
【００３３】
上記コア部１００の一面に配置された第１配線層２１０と上記コア部１００の一面に対向する他面に配置された第１配線層２１０は、上記コア部１００を貫通するビア１５０によって連結される。
【００３４】
また、上記コア部１００の一面に配置された第１配線層２１０と絶縁層１１０の一面に配置された第２配線層２２０は、上記絶縁層１１０を貫通するビア２５０によって連結される。
【００３５】
上記ビア１５０、２５０は、上記配線層２１０、２２０と同一物質からなることができ、例えば、銅（Ｃｕ）を用いることができるが、必ずこれに制限されず、導電性金属として用いられるものであれば制限なく適用可能である。
【００３６】
このとき、図１ａには、コア部１００の上部及び下部に積層される一つのビルドアップ（ｂｕｉｌｄ−ｕｐ）層が示されているが、これに制限されず、コア部１００の一面に２つ以上のビルドアップ（ｂｕｉｌｄ−ｕｐ）層が配置されることができる。
【００３７】
上記印刷回路基板１０００の表面には、最外層の配線層である第２配線層２２０のうち外部端子接続パッド用配線パターンが露出するように半田レジスト３００が配置される。
【００３８】
露出した外部端子接続パッド用導体パターン上に半田バンプ３５０が配置され、上記半田バンプ３５０上に半導体チップ５００が実装される。
【００３９】
図２から図４は本発明の他の実施形態による印刷回路基板の構造を示す断面図である。
【００４０】
図２を参照すると、本発明の他の実施形態による印刷回路基板１０００は、上記ガラス板１０上に内部回路層２０がさらに配置される。
【００４１】
上記内部回路層２０は、配線パターン、インダクタ、キャパシタ、抵抗などで具現されることができる。上記内部回路層２０は、ビア（図示せず）によって上記コア部１００の一面に配置された配線層２１０と連結されることができる。
【００４２】
上記内部回路層２０の構成を除外し、上述の本発明の実施形態による印刷回路基板の構成と重複する構成は同一に適用されることができる。
【００４３】
図３を参照すると、本発明の他の実施形態による印刷回路基板１０００は、上記ガラス板１０と上記内部回路層２０の間に密着層２１がさらに配置される。
【００４４】
上記密着層２１は、上記ガラス板１０と内部回路層２０との密着力を向上させるためのもので、ガラス板１０と内部回路層２０との密着力を向上させるものであれば制限なく適用可能であり、例えば、エポキシ樹脂などの樹脂層であってよい。
【００４５】
上記密着層２１の構成を除外し、上述の本発明の実施形態による印刷回路基板の構成と重複する構成は同一に適用されることができる。
【００４６】
図４を参照すると、本発明の他の実施形態による印刷回路基板１０００は、上記コア部１００を貫通するビア１５０とガラス板１０の間に保護層１５５がさらに配置される。
【００４７】
上記保護層１５５は、上記ガラス板１０と上記ビア１５０の熱膨張係数の差異を緩和するためのもので、ガラス板１０とビア１５０の熱膨張係数の差異を緩和することができるものであれば制限なく適用可能であり、例えば、チタニウム（Ｔｉ）などの金属層またはエポキシ樹脂などの樹脂層であってよい。
【００４８】
上記保護層１５５の構成を除外し、上述の本発明の実施形態による印刷回路基板の構成と重複する構成は同一に適用されることができる。
【００４９】
＜印刷回路基板の製造方法＞
図５ａから図５ｄは本発明の一実施形態による印刷回路基板のコア部の製造工程を示す図面である。
【００５０】
図５ａを参照すると、まず、ガラス板１０を樹脂層１２に積層する。
【００５１】
上記ガラス板１０は、例えば、純粋二酸化ケイ素（約１００％のＳｉＯ２）、ソーダ石灰ガラス、ホウケイ酸塩ガラス、アルミノケイ酸塩ガラス（ａｌｕｍｉｎｏ−ｓｉｌｉｃａｔｅ  ｇｌａｓｓ）などを含むことができ、上記ケイ素系ガラス組成に限定されず、代案的なガラス材料、例えば、フルオロガラス、リン酸ガラス、カルコゲンガラスなども用いられることができる。
【００５２】
上記ガラス板１０には、複数の単位印刷回路基板の領域が設定され、上記単位印刷回路基板の領域間にはそれぞれの単位印刷回路基板に切断する際の切断領域が設定されることができる。
【００５３】
図５ｂを参照すると、上記切断領域から所定の間隔を置いて上記ガラス板１０の上面から下面に貫通する溝部孔３１を形成する。
【００５４】
上記溝部孔３１は、上記ガラス板１０の切断領域から所定の間隔を置いて上記ガラス板１０の切断領域に沿って連続的に形成することができる。
【００５５】
単位印刷回路基板に切断する製造過程中にガラス板の切断領域にクラック（ｃｒａｃｋ）が発生する可能性があるが、切断時に発生したクラック（ｃｒａｃｋ）がガラス板１０の内部にまで広がることを防止するために、ガラス板１０の切断領域に沿って溝部孔３１を形成することができる。
【００５６】
上記溝部孔３１は、機械ドリル、レーザドリル、サンドブラスト、化学エッチングなどを用いて形成することができるが、特にこれに限定されない。
【００５７】
図５ｃを参照すると、上記ガラス板１０の上面に樹脂層１１を形成する。
【００５８】
上記樹脂層１１は、エポキシ樹脂のような熱硬化性樹脂、ポリイミドのような熱可塑性樹脂を含むことができる。また、上記樹脂にファブリック（ｆａｂｒｉｃ）補強材、例えば、ガラス繊維（ｇｌａｓｓ  ｆａｂｒｉｃ）が含浸されて含まれ、例えば、プリプレグで形成されることができる。
【００５９】
図５ｄを参照すると、上記ガラス板１０の上面に樹脂層１１を形成した後、加熱及び圧着して、上記ガラス板１０の上面に樹脂層１１を積層させてコア部１００を形成するとともに、上記溝部孔内に樹脂が充填されて溝部１５を形成する。
【００６０】
上記ガラス板１０の上面に樹脂層１１を積層するとともに、上記樹脂層１１を形成する樹脂によって上記溝部孔３１内に樹脂が充填されるため、上記溝部１５を形成する樹脂は、上記樹脂層１１を形成する樹脂と一体を成すことができる。
【００６１】
本発明の一実施形態は、狭い幅の溝部１５を形成しても、切断領域に生じたクラック（ｃｒａｃｋ）がガラス板の内部にまで広がることを防止することができるため、ガラス板を覆う薄い樹脂層だけで溝部を樹脂で充填することができ、溝部の樹脂充填性が改善される。また、狭い幅の溝部１５を形成するため、ガラス板の除去面積が小さくてガラス板の加工時間が減少し、製造費用を節減することができ、製造工程においてパネル（ｐａｎｅｌ）の安定性に優れることができる。
【００６２】
一方、上記樹脂層１１を積層した後、上記コア部１００にコア部１００を貫通するビア孔３２を形成することができる。
【００６３】
図６ａから図６ｆは本発明の一実施形態による印刷回路基板の製造工程を順に示す図面である。
【００６４】
図６ａを参照すると、上記ビア孔３２に導電性金属を充填してビア１５０を形成し、コア部１００の一面及び他面に上記ビア１５０によって連結される第１配線層２１０を形成する。
【００６５】
上記導電性金属の充填及び第１配線層２１０の形成は、例えば、めっきなどの工程を適用して行うことができ、上記導電性金属は、電気伝導性に優れた金属であれば制限なく用いることができ、例えば、銅（Ｃｕ）を用いることができる。
【００６６】
図６ｂを参照すると、上記第１配線層２１０上に絶縁層１１０を形成する。
【００６７】
上記絶縁層１１０は、エポキシ樹脂のような熱硬化性樹脂、ポリイミドのような熱可塑性樹脂、またはこれらにガラス繊維または無機フィラーのような補強材が含浸された樹脂、例えば、プリプレグで形成されることができる。
【００６８】
図６ｃを参照すると、上記絶縁層１１０に絶縁層１１０を貫通するビア孔３５を形成する。
【００６９】
上記ビア孔３５は、機械ドリル、レーザドリル、サンドブラストなどを用いて形成することができるが、特にこれに限定されない。
【００７０】
図６ｄを参照すると、上記ビア孔３５に導電性金属を充填してビア２５０を形成し、上記絶縁層１１０上に上記ビア２５０によって上記第１配線層２１０と連結される第２配線層２２０を形成する。
【００７１】
上記導電性金属の充填及び第２配線層２２０の形成は、例えば、めっきなどの工程を適用して行うことができ、上記導電性金属は電気伝導性に優れた金属であれば制限なく用いることができ、例えば、銅（Ｃｕ）を用いることができる。
【００７２】
上記ビア２５０及び第２配線層２２０を形成する過程を繰り返して上記コア部１００の一面に２つ以上のビルドアップ（ｂｕｉｌｄ−ｕｐ）層を形成することができる（図示せず）。
【００７３】
図６ｅを参照すると、最外層の配線層である第２配線層２２０のうち外部端子接続パッド用配線パターンが露出するように半田レジスト３００を形成し、露出した外部端子接続パッド用導体パターン上に半導体チップを実装することができる半田バンプ３５０を形成する。
【００７４】
図６ｆを参照すると、製造された積層基板を上記切断領域Ｃに沿って切断して単位印刷回路基板１０００を形成する。
【００７５】
このとき、上記ガラス板１０の部分が切断され、上記ガラス板１０はコア部１００の側面に露出する。
【００７６】
上記単位印刷回路基板に切断する製造過程中に切断領域Ｃ、即ち、上記ガラス板１０の露出面にクラック（ｃｒａｃｋ）が発生してガラス板の内部にまで広がる可能性があるが、本発明の一実施形態は、上記ガラス板１０の露出面から所定の間隔を置いて上記溝部１５を形成することにより、ガラス板を切断して生じたクラック（ｃｒａｃｋ）がガラス板の内部にまで広がることを防止することができるようにした。
【００７７】
その他の特徴は、上述の本発明の一実施形態による印刷回路基板の特徴と同一であるためここでは省略する。
【００７８】
以上、本発明の実施形態について詳細に説明したが、本発明の権利範囲はこれに限定されず、特許請求の範囲に記載された本発明の技術的思想から外れない範囲内で多様な修正及び変形が可能であるということは、当技術分野の通常の知識を有するものには明らかである。
【符号の説明】
【００７９】
１０  ガラス板
１１、１２  樹脂層
１５  溝部
２０  内部回路層
２１  密着層
３１  溝部孔
３２、３５  ビア孔
１００  コア部
１１０  絶縁層
１５０、２５０  ビア
１５５  保護層
２１０、２２０  配線層
３００  半田レジスト
３５０  半田バンプ
５００  半導体チップ
１０００  印刷回路基板
【図１ａ】
2016092402.tif 000003
【図１ｂ】
2016092402.tif 000004
【図２】
2016092402.tif 000005
【図３】
2016092402.tif 000006
【図４】
2016092402.tif 000007
【図５ａ】
2016092402.tif 000008
【図５ｂ】
2016092402.tif 000009
【図５ｃ】
2016092402.tif 000010
【図５ｄ】
2016092402.tif 000011
【図６ａ】
2016092402.tif 000012
【図６ｂ】
2016092402.tif 000013
【図６ｃ】
2016092402.tif 000014
【図６ｄ】
2016092402.tif 000015
【図６ｅ】
2016092402.tif 000016
【図６ｆ】
2016092402.tif 000017
【手続補正書】
【提出日】平成28年1月5日(2016.1.5)
【手続補正１】
【補正対象書類名】特許請求の範囲
【補正対象項目名】全文
【補正方法】変更
【補正の内容】
【特許請求の範囲】
【請求項１】
ガラスコアと、
前記ガラスコア上に配置された樹脂層を含むコア部と、
前記コア部上に配置された配線層と、を含み、
前記ガラスコアには、前記ガラスコアを貫通する溝部が形成される、印刷回路基板。
【請求項２】
前記ガラスコアは、前記溝部により内部と外郭部とに分離される、請求項１に記載の印刷回路基板。
【請求項３】
前記溝部は、前記コア部の側面に沿って形成される、請求項１に記載の印刷回路基板。
【請求項４】
前記溝部は、連続的に形成される、請求項１に記載の印刷回路基板。
【請求項５】
前記溝部は、樹脂で充填される、請求項１に記載の印刷回路基板。
【請求項６】
前記溝部を充填する樹脂は前記樹脂層を形成する樹脂と一体を成す、請求項５に記載の印刷回路基板。
【請求項７】
前記ガラスコアの側面は、外部に露出する、請求項１に記載の印刷回路基板。
【請求項８】
前記ガラスコア上に配置された内部回路層をさらに含む、請求項１に記載の印刷回路基板。
【請求項９】
前記ガラスコアと内部回路層との間に配置された密着層をさらに含む、請求項８に記載の印刷回路基板。
【請求項１０】
前記ガラスコアを貫通するビアと、
前記ガラスコアとビアとの間に配置された保護層と、をさらに含む、請求項１に記載の印刷回路基板。
【請求項１１】
ガラスコアの一面に第１樹脂層を形成する段階と、
前記ガラスコアを貫通する溝部孔を形成する段階と、
前記ガラスコアの他面に第２樹脂層を形成し、コア部を形成する段階と、
前記コア部上に配置層を形成する段階と、
前記コア部を、前記溝部孔の外側に位置した切断領域に沿って切断し、単位印刷回路基板を形成する段階と、
を含む、印刷回路基板の製造方法。
【請求項１２】
前記溝部孔を樹脂で充填する段階をさらに含む、請求項１１に記載の印刷回路基板の製造方法。
【請求項１３】
前記溝部孔を樹脂で充填する段階は、
前記ガラスコアの他面に積層される前記第２樹脂層の樹脂が溝部孔に充填される、請求項１２に記載の印刷回路基板の製造方法。
【請求項１４】
前記単位印刷回路基板を形成する段階において、
前記ガラスコアの側面が外部に露出される、請求項１１に記載の印刷回路基板の製造方法。
【請求項１５】
前記溝部孔を形成する段階において、
前記溝部孔は、前記切断領域に沿って連続的に形成される、請求項１１に記載の印刷回路基板の製造方法。